(57)【要約】【課題】  不使用時には嵩張らず、使用時に容易に立体形状を形成させて、吸収性物品の防漏性能を向上させることのできる防漏性補強具を提供すること。【解決手段】  吸収性物品７と併用されるシート状の防漏性補強具１であって、防漏性補強具１には、切断線が設けられて、押し開き可能な一対の固定片４，４が形成されており、各固定片４に、吸収性物品及び／又はショーツに固定可能な固定手段５が設けられており、固定片５を一方の面側に押し開くことにより、該固定片５に連なる部分６が他方の面側に起立するようになされている。【選択図】    図２
2005185519.tif 000002
【特許請求の範囲】
【請求項１】
吸収性物品と併用されるシート状の防漏性補強具であって、
防漏性補強具には、切断線が設けられて、押し開き可能な一対の固定片が形成されており、各固定片に、吸収性物品及び／又はショーツに固定可能な固定手段が設けられており、前記固定片を一方の面側に押し開くことにより、該固定片に連なる部分が他方の面側に起立するようになされている防漏性補強具。
【請求項２】
防漏性補強具は、一枚のシートを主体として構成されている請求項１記載の防漏性補強具。
【請求項３】
前記シートの曲げ剛性値が１〜３０ｃＮ／ｃｍである請求項２記載の防漏性補強具。
【請求項４】
前記一対の固定片は、一対の第１切断線と、第２の切断線とによって形成されており、第１切断線は、それぞれ、防漏性補強具の周縁部近傍にその両端部を有して延びており、第２の切断線は、一対の第１切断線間を連結している請求項１〜３の何れか記載の防漏性補強具。
【請求項５】
一対の前記第１切断線それぞれの両端部と、各端部に最も近い防漏性補強具の周縁部との間の離間距離（Ｌ１）が３〜３０ｍｍである請求項４記載の防漏性補強具。
【請求項６】
前記一対の固定片は、一対の切断線によって形成されており、両切断線は、それぞれ防漏性補強具の中心に向かって屈曲又は湾曲して相互に連結されている請求項１〜３の何れか記載の防漏性補強具。
【請求項７】
一対の切断線それぞれの両端部と、各端部に最も近い防漏性補強具の周縁部との間の離間距離が３〜３０ｍｍである請求項６記載の防漏性補強具。
【請求項８】
前記切断線によって、押し開き可能な固定片は四枚形成され、各固定片に、吸収性物品及び／又はショーツに固定可能な固定手段が設けられている請求項１〜７の何れか記載の防漏性補強具。
【請求項９】
請求項１〜８の何れか記載の防漏性補強具と、該防漏性補強具を固定可能な吸収性物品とからなる複合吸収性物品であって、
前記吸収性物品は、前記防漏性補強具の押し開いた状態の前記一対の固定片を、それぞれ固定手段を介して肌対向面に固定可能な大きさを有する複合吸収性物品。
【発明の詳細な説明】
【技術分野】
【０００１】
本発明は、吸収性物品と併用される防漏性補強具に関する。
【背景技術】
【０００２】
従来、人体から排出される液体を吸収させる吸収性物品として、生理用ナプキンや使い捨ておむつが広く用いられている。
一般に、生理用ナプキンには、弾性部材によりシートを起立させて横漏れ防止用の防漏壁を形成した比較的構成の複雑なもの（特許文献１参照）と、そのような防漏壁を設けない比較的構成のシンプルなものとがあり、消費者によっては、これらを、経血の量が多い場合や長時間使用する場合等、漏れが生じる可能性が高い時と、経血の量が少ない場合や短時間で交換できる場合等、漏れが生じる可能性が低い時とで使い分けることが行われている。
【０００３】
また、従来の生理用ナプキンとして、表面材に液透過部を設けると共に、その液透過部の周縁に環状突起部を形成した生理用ナプキンが提案されている（特許文献２参照）。
【０００４】
【特許文献１】特開平５−３３７１５２号公報
【特許文献２】実公平３−４３８３３号公報
【発明の開示】
【発明が解決しようとする課題】
【０００５】
しかし、特許文献１のような防漏壁を有する吸収性物品と防漏壁を有しない吸収性物品とを、適宜、使い分けるには、両者を準備しておく必要があり不便である。
また、特許文献２記載のナプキンは、肌対向面に環状突起部を有するため、複数個を包装袋に圧縮充填して市販等する場合にサイズが比較的大きくなってしまい。また、個装品とした場合も嵩張るため、ナプキンを携行する場合に不便である。
また、使用者の排泄部の位置、また、排泄物の量や粘度など、個人差があり、万人に対して漏れを防止するような構造を１つの吸収性物品で達成するのは困難である。
【０００６】
従って、本発明は、従来技術の吸収性物品が有する前述の不都合の一つ又はそれ以上を解消し得る防漏性補強具を提供することを目的とする。
【課題を解決するための手段】
【０００７】
本発明は、吸収性物品と併用されるシート状の防漏性補強具であって、防漏性補強具には、切断線が設けられて、押し開き可能な一対の固定片が形成されており、各固定片に、吸収性物品及び／又はショーツに固定可能な固定手段が設けられており、前記固定片を押し開いて固定した状態において防漏性補強具の一部が起立するようになされている防漏性補強具を提供することにより前記目的を達成したものである。
【発明の効果】
【０００８】
本発明の防漏性補強具は、不使用時には嵩張らず、使用時に容易に立体形状を形成させて、吸収性物品の防漏性能を向上させることができるものである。また、使用者の排泄部の位置や排泄部からの排泄方向、排泄物の量や粘度等に応じて、吸収性物品の任意の箇所に防漏性能を、個々に付与可能とするものである。
【発明を実施するための最良の形態】
【０００９】
以下本発明を、その好ましい実施形態に基づき図面を参照しながら説明する。
第１実施形態の防漏性補強具１は、図１に示すように、一枚のシート２を主体として構成されている。シート２は、上下両面とも平らで厚みが全域に亘って一様なシート状の形態を有している。
本明細書における一枚のシートは、単層構造のシートでも多層構造のシートであっても良い。
【００１０】
シート２には、切断線３Ａ〜３Ｃが設けられている。そして、それらの切断線によって、シート２には、押し開き可能な一対の固定片４，４が形成されている。各固定片４には、吸収性物品に固定可能な固定手段５が設けられている。
一対の固定片４，４は、シート２における、固定手段５を設けた片面側から押圧することによって、互いに離間し且つシート２に、周囲を囲まれた開口部を形成するものである。
切断線３Ａ〜３Ｃは、指で押す程度の力で、一対の固定片４，４を押し開き可能であれば良く、連続的な切断線であっても良いし、ミシン目のような不連続の切断線であっても良い。
【００１１】
シート２は、一対の固定片４，４を押し開くことにより、各固定片４に連なる部分６を、各固定片４の押し開き方向とは逆方向に起立させることができる程度のシート剛性による追従性を有している。
防漏性補強具１を構成するシート２は、着用者に対して柔軟に接触する等の観点から、弾力性を有することが好ましい。
【００１２】
シート２は、一対の固定片４，４の押し開きによる立体形状の形成性（追従性）の観点から、その曲げ剛性値が１〜３０ｃＮ／ｃｍであることが好ましく、特に５〜２５ｃＮ／ｃｍであることが好ましい。
シート２の曲げ剛性値は、シートの面内の少なくとも何れかの方向において、前記範囲内であることが好ましいが、少なくとも、一対の固定片４，４を押し開く際に形成される折り曲げ部の稜線（シートの他面側から見れば谷線）に直交する方向（図１中のＸ方向，以下、Ｘ方向という）の曲げ剛性値が前記範囲内であることが好ましい。折り曲げ部は、断面円弧状に曲げられたものも含む。本実施形態における折り曲げ部の稜線（谷線）は、第１縁部１１ａ，１１ｂと平行に生じる。
【００１３】
シート２のＸ方向の曲げ剛性値は次の方法にて測定される。尚、ここでは、Ｘ方向の曲げ剛性の測定方法を例として説明するが、Ｘ方向以外の曲げ剛性値も、測定用サンプルを切り出す際の向きを代える以外は同様にして測定可能である。
【００１４】
Ｘ方向の曲げ剛性を測定する場合の測定用のサンプルは、シート２として用いるシート状材料（切断線を入れる前のもの）又はその同等物から、Ｘ方向に相当する方向の長さが４０ｍｍ、Ｘ方向に直交する方向（図１中のＹ方向）に相当する方向の長さが３０ｍｍの矩形状のサンプルを切り出して測定用サンプル２４とする。
【００１５】
図３に示す器具及び引張圧縮試験機（テンシロンＲＴＭ２５、東洋ボールドウィン製）を用い、該引張圧縮試験機を圧縮試験モードにする。図３に示す器具は、２７ｍｍの間隔（円弧状の先端部間の間隔）で配置された一対のプレート２１，２１を備えた断面略コ字状の受け部材２２と、先端部が、受け部材２２のプレート２１，２１間に挿入される押し込みプレート２３とからなる。受け部材２２のプレート２１及び押し込みプレート２３は、それぞれ厚みが３ｍｍのアクリル樹脂製で、先端部がＲ１５ｍｍの断面円弧状に形成されている。受け部材２２のプレート２１は、高さが各々５０ｍｍで奥行きが７０ｍｍである。押し込みプレート２３は、高さが６０ｍｍで奥行きが５０ｍｍである。
【００１６】
受け部材２２のプレート２１及び押し込みプレート２３の奥行き方向と測定用サンプル２４の長手方向（Ｘ方向に相当する方向）とが約９０度で交差するように、測定用サンプル２４をプレート２１，２１上に載置する。押し込みプレート２３を引張圧縮試験機に固定した後、該押し込みプレート２３を下降させて、測定用サンプル２４を、プレート２１，２１間の中央部に５０ｍｍ／分の速度で押し込んでいく。図３の右下図に示すように、受け部材２２のプレート２１，２１の先端から、押し込みプレート２３の先端が１０ｍｍ押し込まれた時点における測定用サンプル２４の応力を幅３０ｍｍで除した値を、シート２の曲げ剛性値とする。シート２として用いるシート状材料から前述した寸法のサンプルが得られない場合には、なるべく測定方向の長さが４０ｍｍ、測定方向に直交する方向の長さが３０ｍｍに近い大きさにカットし、測定された応力をカットした幅で除した値を曲げ剛性値とする。
【００１７】
シート２の形成素材としては、ポリウレタン、ポリオレフィンフォーム等からなるフォーム材（発泡体、例えば日本バイリーンの商品名ＢＭ２など）、伸縮性不織布（例えば、ポリウレタン不織布、熱収縮性繊維により収縮した不織布など）、シリコンゴムや天然ゴム等エラストマー材からなるシート、多層厚手不織布（例えば、スパンボンド不織布やエアスルー不織布をエンボス等により多層化した不織布、フィルムをラミネートした不織布等）、芯地等に使用する厚手のケミカルボンド不織布（例えば、クレハテックの商品名ボンデンシリーズなど）、公知の生地の裏面に接着材を介してフィルムを積層したもの及びこれらの積層一体化物等が挙げられる。
【００１８】
シート２は、防漏効果の高い防漏壁を形成させる観点から、撥水性又は親水性であっても滲み出しのない低液拡散性であることが好ましい。その場合の形成素材としては、フォーム材、エラストマー材、多層化不織布、ラミネート不織布等が好ましい。
【００１９】
シート２は、肌に接触した場合の肌触り等の観点から、厚み方向にクッション的に柔らかい感触であることが好ましい。その場合の形成素材としては、フォーム材、伸縮性不織布、多層不織布、ケミカルボンド不織布等が好ましい。
特に好ましいシート２の形成素材は、滑らかさの観点から、繊維材料から形成されている不織布材料である。
【００２０】
尚、シート２の厚みは、曲げに追従し易くする観点及び違和感の少なさの観点から０．５〜８ｍｍ、特に１〜５ｍｍであることが好ましい。
【００２１】
一対の固定片４，４は、図１に示すように、シート２に、一対の第１切断線３Ａ，３Ｂと第２の切断線３Ｃを略Ｈ字状に設けることによって形成されている。  第１切断線３Ａ，３Ｂは、それぞれ、防漏性補強具１の周縁部近傍にその両端部を有して延びており、第２の切断線３Ｃは、一対の第１切断線３Ａ，３Ｂ間を連結している。
【００２２】
より具体的に説明すると、防漏性補強具１は、平面視して矩形状であり、相対向する一対の第１縁部１１ａ，１１ｂと、相対向する他の一対の第２縁部１２ａ，１２ｂとを有している。
【００２３】
一方の第１切断線３Ａは、一方の第２縁部１２ａの近傍に両端部３ａ，３ａを有しており、一方の第１縁部１１ａから所定距離離間した位置と他方の第１縁部１１ｂから所定距離離間した位置との間に亘って延びている。他方の第１切断線３Ｂも同様に、他方の第２縁部１２ｂの近傍に両端部３ｂ（一方のみ図示）を有しており、一方の第１縁部１１ａから所定距離離間した位置と他方の第１縁部１１ｂから所定距離離間した位置との間に亘って延びている。
【００２４】
第２の切断線３Ｃは、その両端部が、一対の第１切断線３Ａ，３Ｂそれぞれの中央部に連結されており、一対の第１切断線３Ａ，３Ｂ間を連結している。
一対の固定片４，４は、それぞれ、一対の第１切断線３Ａ，３Ｂと第２の切断線３Ｃとに３方を囲まれて形成された部分である。
【００２５】
第１切断線３Ａ，３Ｂそれぞれの両端部３ａ，３ｂと、各端部に最も近い防漏性補強具の周縁部であって、両切断線の延長線上に位置する第１縁部１１ａ，１１ｂとの間の離間距離Ｌ１（図１参照）は、各固定片４に連なる部分６の幅を充分に確保し、防漏効果の高い防漏壁を形成し、かつ違和感を抑えるようにする観点から、３〜３０ｍｍ、特に５〜１５ｍｍであることが好ましい。
また、第１切断線３Ａ，３Ｂそれぞれの両端部３ａ，３ｂと、各端部の近傍に位置する第２縁部１２ａ，１２ｂとの間の離間距離Ｌ２（図１参照）は、固定片の動きに追従して防漏壁を起立させる観点から、Ｌ２の合計長さがＹ方向の全長の１０〜６０％、特に２０〜５０％であることが好ましい。なお、Ｌ２の片側の長さは５〜３０ｍｍ、特に８〜１５ｍｍであることが好ましく、切断線３Ａ側、３Ｂ側で長さが異なっていても良い。
【００２６】
第１切断線３Ａ，３Ｂそれぞれの一方の端部と他方の端部との間の直線距離Ｌ３（図１参照）は、充分な面積の固定片４を形成させ、固定片の固定性及び立体形状の形成性を向上させる観点から、３０〜７０ｍｍ、特に４０〜６０ｍｍであることが好ましい。
尚、第１縁部１１ａ，１１ｂ間の距離Ｌに対する前記直線距離Ｌ３の比（Ｌ３／Ｌ）は、扱い易さと防漏の起立効果し易さの観点から、０．５〜０．９５、特に０．６〜０．９であることが好ましい。
【００２７】
固定手段５は、各固定片４を、吸収性物品又は吸収性物品を固定したショーツ等に固定するためのもので、本実施形態においては、固定手段５として、シート２に粘着剤を塗工して粘着部を形成してある。粘着部形成用の粘着剤としては、各種公知のものが用いられ、例えばゴム系（ＮＲ、ＳＩＳ、ＳＢＳ、ＳＢＲ等）アクリル系（アクリル酸アルキルエステル、メタクリル酸アルキルエステル等）オレフィン系のホットメルト型粘着剤  等が用いられる。固定手段５として、粘着部を設ける場合、剥離紙５１や、剥離処理を施した包装材により該粘着部を被覆保護しておくことが好ましい。粘着部は、図１に示すように、複数の粘着部を一枚の剥離紙で被覆しても良いし、粘着部毎に一枚の剥離紙で被覆しても良い。
【００２８】
防漏性補強具１によれば、図２に示すように、一対の固定片４，４をシート２の両面のうちの一方の面側に押し開くことにより、シート２における各固定片４に連なる部分６を、シート２の他方の面側に起立させることができる。詳細には、各固定片４は、固定手段５を有する面側から押圧して、固定手段５を有しない面側に押し開かれるが、その押し開きにより、固定片４から連なる部分６は、その押し開き方向とは逆の方向に対して、固定片４から離れるように起立される。固定片４に連なる部分６は、図２に示すようにシート外側に向かって徐々に高くなり曲線状に立ち上がって、シートの最外縁が一番高くなるように起立している。
【００２９】
各固定片に連なる部分とは折り曲げ部の稜線よりもシート外側の部分であり、本実施形態における、固定片４に連なる部分６は、第１切断線３Ａ，３Ｂの端部３ａ，３ｂの位置と、両切断線の延長線上に位置する第１縁部１１ａ，１１ｂとの間に挟まれた部分である。上述した「押し開く際に形成される折り曲げ部」は、固定片４と該固定片４に連なる部分６との境界部に形成される。本実施形態においては、第１縁部１１ａ，１１ｂそれぞれに隣接する帯状部分が、第２縁部１２ａから第２縁部１２ｂとの間の全域において起立する。固定片４に連なる部分６は、少なくとも、第１切断線３Ａの延長線と第１切断線３Ｂの延長線との間に挟まれた部分が起立することが好ましい。
【００３０】
そして、その押し開いた各固定片４を、固定手段５を介して、吸収性物品の肌当接面等に固定することにより、前記部分６が起立した状態が安定する。そして、その起立した部分６を、防漏壁として機能させることにより、吸収性物品７の防漏性能を向上させることができる。
【００３１】
固定片４に連なる部分６は、各固定片を最も起立高さが高くなるように水平な一平面に固定したときに、固定片の上面から最大高さ部分までの高さＴ（図２参照）が、２〜２８ｍｍであることが好ましく、２〜２０ｍｍであることがより好ましく、３〜１３ｍｍであることが更に好ましい。
【００３２】
防漏性補強具１を、例えば図２に示すように、縦長の吸収性物品に固定する場合の向きは、起立した部分６が、生理用ナプキンの長手方向に沿って延びる向き（図２に示す向き）でも、生理用ナプキンの幅方向に沿って延びる向き（図２に示す向きから９０度回転させた向き）でも良く、前者では、特に横漏れ防止効果の向上を期待でき、後者では、特に前後からの漏れ防止効果の向上を期待できる。
【００３３】
防漏性補強具１は、防漏壁を有しない吸収性物品と併用することにより、その吸収性物品に、防漏壁を有する場合と同様の防漏性能を付与することができる。但し、防漏壁を有する吸収性物品と併用しても良く、例えば、長手方向の両側部に防漏壁（立体ギャザー等）を有する吸収性物品に、幅方向に亘る起立部分６が生じるように固定して用いることにより、該吸収性物品の前後からの漏れ防止効果を向上させることができる。防漏性補強具１によれば、このようにして、吸収性物品の防漏性能を簡便に向上し得るため、構造の比較的簡単な吸収性物品を多数用意しておき、通常は、そのまま用い、漏れが心配な場合等、必要に応じて、その防漏性能を高めて使用することもできる。
【００３４】
また、防漏性補強具１は、吸収性物品の防漏性能を簡便に向上し得る一方、その不使用状態、即ち使用前の状態（再利用する場合には使用後の状態も同様）においては、シート状の形態を有している。そのため、嵩張らずに携行や取り扱いが容易である。
【００３５】
以下、本発明の他の実施形態としての防漏性補強具について説明する。これらの防漏性補強具は、シートの形状及び一対の固定片を形成するための切断線の設け方（入れ方）が上述した第１実施形態の防漏性補強具１と異なるが、基本的な構成は第１実施形態と同様である。以下の説明においては、主として異なる点について説明し、同様の点については説明を適宜省略する。特に説明しない点については、上述した第１実施形態の防漏性補強具１についての説明が適宜適用される。
【００３６】
第２実施形態の防漏性補強具１Ａは、図４に示すように、シート２に対して、一対の切断線３Ａ，３Ｂが設けられており、これらの切断線によって、押し開き可能な一対の固定片４Ａ，４Ａと、同様に押し開き可能な他の一対の固定片４Ｂ，４Ｂとが形成されている。
【００３７】
より具体的に説明すると、防漏性補強具１Ａは、正方形状をなしており、一対の第１縁部１１ａ，１１ｂ及び一対の第２縁部１２ａ，１２ｂを有している。そして、一対の切断線３Ａ，３Ｂは、それぞれ、第２縁部１２ａ，１２ｂの近傍に両端部３ａ，３ａ，３ｂ，３ｂを有しており、それぞれ、一方の第１縁部１１ａから所定距離離間した位置と他方の第１縁部１１ｂから所定距離離間した位置との間に亘って延びている。
【００３８】
第２実施形態における切断線３Ａ，３Ｂは、それぞれの中央部において直角に屈曲しており、それらの屈曲部において互いに連結されている。
一対の固定片４Ａ，４Ａは、それぞれ、一対の切断線３Ａ，３Ｂを２辺とする３角形状の部分である。また、一対の固定片４Ｂ，４Ｂは、一対の切断線３Ａ，３Ｂにより、一対の固定片４Ａ，４Ａの形成と同時に形成されており、それぞれ３角形状の部分である。
【００３９】
第２実施形態の防漏性補強具１Ａは、図４（ｂ）に示すように、一対の固定片４Ａ，４Ａを押し開くと同時に他の一対の固定片４Ｂ，４Ｂも押し開き、それら各固定片を、そのそれぞれに設けた固定手段５を介して、吸収性物品の肌対向面等に固定する。これにより、吸収性物品の肌当接面に、主として起立した部分６，６・・からなる環状の防漏壁を形成させることができる。
【００４０】
第３実施形態の防漏性補強具１Ｂは、図５に示すように、シート２に対して、一対の曲線状の切断線３Ａ，３Ｂが設けられており、これらの切断線によって、押し開き可能な一対の固定片４，４が形成されている。
防漏性補強具１Ｂは、平面視して矩形状であり、一対の第１縁部１１ａ，１１ｂ及び一対の第２縁部１２ａ，１２ｂを有している。一対の切断線３Ａ，３Ｂは、それぞれ、第２縁部１２ａ，１２ｂの近傍に両端部３ａ，３ａ，３ｂ，３ｂを有しており、それぞれ、一方の第１縁部１１ａから所定距離離間した位置と他方の第１縁部１１ｂから所定距離離間した位置との間に亘って延びている。
【００４１】
第３実施形態における切断線３Ａ，３Ｂは、円弧状に湾曲しており、それぞれの中央部において互いに連結されている。一対の固定片４，４は、切断線３Ａ又は３Ｂを円弧とする半円状の部分である。防漏性補強具１Ｂは、防漏性補強具１と同様して用いられる。
【００４２】
第４実施形態の防漏性補強具１Ｃは、図６に示すように、シート２に対して、略Ｚ字状の切断線３が設けられており、その切断線３によって、押し開き可能な一対の固定片４，４を形成したものである。防漏性補強具１Ｃは、一対の固定片４，４を押し開き、それらの各固定片４を固定手段５を介して、吸収性物品の肌対向面等に固定することにより、各固定片４の連なる部分６及びその延長部分を起立させ、防漏壁を形成することができる。
【００４３】
以上、本発明の防漏性補強具のいくつかの実施形態及びその使用形態について説明したが、本発明の防漏性補強具はそれらに限定されず、適宜変更可能である。
【００４４】
例えば、図２、図４（ｂ）及び図６（ｂ）には、一対の固定片を、吸収性物品としての生理用ナプキン７の肌対向面に固定した使用形態を示したが、本発明の防漏性補強具１は、図７に示すように、固定片を、生理用ナプキンやパンティライナー等の吸収性物品７の側面部及び／又は非肌対向面に固定して使用することもできる。
【００４５】
また、一対の固定片４，４の固定対象は、吸収性物品に限られず、吸収性物品を固定して用いるショーツ等の装着具であっても良い。
例えば、図８（ｂ）は、防漏性補強具１Ｄの一対の固定片４，４を、肌対向面側に吸収性物品７が固定されたショーツクロッチ部８の非肌対向面に固定した状態を示す図である。
尚、防漏性補強具１Ｄは、本発明の一実施形態であり、図８（ａ）に示すように、上述した第３実施形態の防漏性補強具１Ｂの長手方向の長さを一層長くすると共に、湾曲した両切断線３Ａ，３Ｂ同士の連結部の長さを比較的長めに取った形態を有している。
【００４６】
また、一対の固定片に設ける固定手段５として、機械的面ファスナーのオス部材を設けることもできる。機械的面ファスナーのオス部材とは、シート状の基材に、係合性に富む不織布や機械的面ファスナーのメス部材（ループ材）に機械的に係合する突起を設けたものであり、その突起の形状としては、鉤形のもの、きのこ形のもの、錨形のもの等がある。このような、機械的面ファスナーのオス部材としては、各種公知のものを用いることができる。機械的面ファスナーのオス部材を固定手段として用いる場合には、各固定片を固定する部位、例えば吸収性物品の肌対向面、ショーツの非肌対向面等を、係合性に富む材料（不織布、ループを形成した網布等）で構成することが好ましい。
【００４７】
防漏性補強具の平面視形状は、正方形（角を丸めたものを含む）や長方形（角を丸めたものを含む）の他、円形、楕円形、菱形、平行四辺形、三角形、正五角形等とすることができる。
【００４８】
尚、固定片の押し開きにより起立する部分は、シート剛性・厚みや、固定片の固定状態などによって、起立する角度や起立する向きが異なる。具体的には、前記各実施形態では曲線状に起立したが、直線状に起立したり、被固定面に対して直角に起立したり、また、シート中央に対して内側に傾斜して形成される。
【００４９】
尚、防漏性補強具と組み合わせて用いる吸収性物品としては、生理用ナプキン、パンティライナー、展開型使い捨ておむつ、パンツ型使い捨ておむつ、失禁パッド、母乳吸収用パッド等が挙げられる。本発明の複合吸収性物品は、上述した各実施形態の防漏性補強具を、このような吸収性物品であって、肌対向面（着用者の肌に向けられる面）に、押し開いた一対の固定片をそれぞれ固定できるだけの広さを有するものとを組合せたものである。
【図面の簡単な説明】
【００５０】
【図１】図１は、本発明の一実施形態としての防漏性補強具を示す斜視図である。
【図２】図２は、図１に示す防漏性補強具の使用状態の例を示す斜視図である。
【図３】図３は、曲げ剛性値の測定に用いる器具を示す図である。
【図４】図４は、本発明の他の実施形態としての防漏性補強具を示す図で、図４（ａ）は平面図、図４（ｂ）は使用状態の一例を示す斜視図である。
【図５】図５は、本発明の更に他の実施形態としての防漏性補強具を示す平面図である。
【図６】図６は、本発明の更に他の実施形態としての防漏性補強具を示す図で、図６（ａ）は平面図、図６（ｂ）は使用状態の一例を示す斜視図である。平面図である。
【図７】図７は、防漏性補強具の使用状態の他の例を示す模式断面図である。
【図８】図８は、本発明の更に他の実施形態としての防漏性補強具を示す図で、図８（ａ）は平面図、図８（ｂ）は使用状態の一例を示す図である。
【符号の説明】
【００５１】
１，１Ａ〜１Ｄ  防漏性補強具
２  シート
３，３Ａ〜３Ｃ  切断線
４，４Ａ  固定片
５  固定手段
６  固定片に連なる部分
７  生理用ナプキン（吸収性物品）
【図１】
2005185519.tif 000003
【図２】
2005185519.tif 000004
【図３】
2005185519.tif 000005
【図４】
2005185519.tif 000006
【図５】
2005185519.tif 000007
【図６】
2005185519.tif 000008
【図７】
2005185519.tif 000009
【図８】
2005185519.tif 000010